(57)【要約】      （修正有）【課題】湿気を防ぎ防湿防菌になり衛生的であり軽量であり、狭い場所も設置でき価格面でも改善できる、折りたたみ式のトイレットペ−パ−収納ケ−スを提供する。【解決手段】４側面を折りたたんで角柱を形成し、この角柱の上部はロ−ル型トイレットペ−パ−が挿入出来る開口を設け、この開口を開閉出来る蓋を装着し、角柱の下部４側面所定の長さに内側に折り曲げて角柱の底部を形成し、４側面の折りたたんだ時正面となる側面を前記底面から所定の高さに折り曲げ、且つこの折り曲げ部の延長部を隣接する両側面の巾とほぼ同じ長さにし、延長部に夫々隣接して内側に折り曲げられる三角耳の一辺の長さを所定の高さとほぼ同じくして形成したトイレットペ−パ−の収納ケ−ス。【選択図】図２
0003107010.tif 000002
【実用新案登録請求の範囲】
【請求項１】
４側面を折りたたんで角柱を形成し、この角柱の上部にロ−ル型トイレットペ−パ−が挿入できる開口を設けこの開口を開閉出来る蓋を装着し、前記角柱の下部の４側面は所定の長さ内側に折り曲げて角柱の底部を形成し、前記４側面を折りたたんだ時正面となる側面（Ａ）を前記底板から所定の高さに折り曲げ、且つこの折り曲げ部の長さは側面（Ａ）に隣接する両側面（Ｂ）（Ｃ）の巾とほぼ同じ長さにし、前記延長部に夫々隣接して内側に折り曲げられ三角耳の一辺の長さを前記所定の高さとほぼ同じくして形成したことを特徴とするトイレットペ−パ−の収納ケ−ス。
【考案の詳細な説明】
【技術分野】
【０００１】本考案は、消費者が簡易に使用出来る折りたたみ式のトイレットペ−パ−収納ケ−スに係る。
【背景技術】
【０００２】通常トイレットペ−パ−はビニ−ル袋に複数のトイレットペ−パ−が収納され販売されている。消費者は購入後ビニ−ル袋入りの残りのトイレットペ−パ−は棚に載せたり１個収納用の布製の製品に入れたり、窓の縁や水槽タンク蓋上部に設置している。然し乍らこのような状態で保存すると汚れたり見た目もだらしなく不衛生である。又別にプラスチック製・木製の収納ケ−スに保存しているが床に置くので設置場所をとる欠点がある。
【考案の開示】
【考案が解決しようとする課題】
【０００３】市販されているプラスチック製、木製の収納ケ−スは一般消費者が購入するには価格的に割高感があり設置場所もとるので狭いトイレ内部に設置するには困難である。それまでペ−パ−を全般的にトイレ内部の上部に棚を設け、窓の縁、水槽上部などに置いている。一般家庭はもとより事務所テナント店舗等で場所も取らず利便性もあり整理整頓される此れらのことを解決するためのものである。【０００４】従来のロ−ル型トイレットペ−パ−収納ケ−スに関しては、次の特許又は実用新案公開されている。例えば※実用新案昭６１−７３２９６名称トイレットペ−パ−収納箱※実用新案平成１−１３３４９０名称ロ−ルペ−パ−収容箱※実用新案平成７−３０８８７ロ−ルペ−パ−整理箱  ※実用新案昭和６３−１５９５９４トイレットペ−パ−包装容器  ※特許公開２００１−２６９２８５名称ロ−ルペ−パ−包装及び収納ケ−ス等がある、しかしいずれもケ−スが固定式で使用済み後たたみ込んで整理する事が出来ず融通性がなかった。特に取り出し口部分に於いてペ−パ−が安定せず取り出しずらい。※実用新案平成７−１９１７６名称壁掛け用テッシュペ−パ−箱の取手もあるが簡単に操作できない。また輸送在庫等にはかさ張り取り扱い使いが不便である。
【課題を解決するための手段】
【０００５】前述のように本案では化成品、ビニ−ル加工の薄板紙からなり４側面を折り畳んで角柱を形成し、この角柱の上部にロ−ル型トイレットペ−パ−を挿入出来る開口を設け、この開口を開閉できる蓋を装着し、前記角柱の下部の４側面は所定長さに内側に折り曲げて角柱の底部を形成し、前記４側面の折り畳んだ時正面となる側面Ａを前記底面から所定の高さに折り曲げ、且つこの折り曲げ部の延長部に隣接する両側面Ｂ・Ｃの巾とほぼ同じ長さにし、前記延長部に夫々隣接して内側に折り曲げられる三角耳の一辺の長さを前記所定の高さとほぼ同じくして形成したことを特徴とするトイレットペ−パ−の収納ケ−スである。尚角柱の材質として化成品、例えばポリプロピレン（ＰＰ）ポリエチレンテレフタラ−ド（ＰＴ）又はビニ−ルコ−テングされた厚板紙等からなる。
【考案の効果】
【０００６】市販してる木・プラスチック製は置き型式のため設置をとり一般トイレに不適切である。木・布製は湿気を呼び不衛生出ある。本案は設置場所もとらず、前記化成品並びにビニ−ルコ−テングされた厚板紙のため湿気防ぎ防湿防菌になり衛生的であり軽量であり、狭い場所も設置でき価格面でも改善できる。
【考案の実施するための最良の形態】
【０００７】化成品薄板（ＰＰ・ＰＴ）製・ビニ−ルコ−テングした厚板紙の薄板本体を一片だけを接着し他の部分は筋目を付けることにより折り曲げる事により角柱のケ−スが簡単に形成することができる。角柱形の一面Ａにペ−パ−取り出し口をもうけ前記側面Ａの折り曲げ部及びその延長部をケ−スの内側に入るように折り曲げることによりトイレットペ−パ−の滑り止め１３を形成する。又内側に折り曲げた一部三角耳部分１４、１５を三角形に折り曲げることにより滑り止め部分の落ち込みを無くしケ−スの歪みを修正し強度を保つ事が出来る。
【実施例】
【０００８】以下本考案を図面について説明する。化成品（ＰＰ・ＰＴ）の薄板・ビニ−ルコ−テングした厚板紙にて製作し筋目を付けることにより容易に折れ曲がり図４の示すとうりＡ，Ｂ，Ｃ，Ｄ部に折り曲げる。このときＡは正面となりＤは後面即ち背面となる、背面Ｄの高さは側面より僅かに高くしフック用の穴５を明けるようにする。両側面ＢとＣの上部に蓋とめの穴３を明ける、各側面を折り曲げ角柱を形成した後その上部に蓋２を装着するがこれは蓋２の両側に設けた突起が前記蓋止めの穴３にはめ込まれるようにしてある。正面の４は確認用窓であり長方形以外に間隔をおき丸・角・ハ−ト型・ダイヤ型その他の型を用いられる。【０００９】角柱の下部は各側面Ａ，Ｂ，Ｃ，Ｄの下方の折りたたみ底板９・１０・１１・１２を交互に内側に折り曲げることによりケ−スの底部分が形成する。【００１０】図５に展開して示すように両底板９，１０のやや上部に図１及び図２に示すようにペ−パ−取り出し口６を設ける。この取り出し口６は、正面側面Ａの底部から所定の高さ１６に折り曲げ且つこの折り曲げ部１６の延長部１７の長さはこの面に夫々隣接する側面ＢＣの巾と同じ駆使てある。この側面Ａの両側に隣接して内側に折り曲げられる三角耳の一辺の長さ１８は前記所定の高さ１６とほぼ同じくしてある。これらの延長部１７及び両三角耳１４・１５を内側に折り曲    げることにより滑り止め部分１３の落ち込みをなくしケ−スの歪みを修正し強度を保つことができる【００１１】トイレ内部の手の届く位置にケ−ス本体１を吊り下げられる様にフック５を取りつけ（１・２図）の１上部にある５を使用する事によりトイレ内の壁面に設置出来る。【００１２】本体の中央部（２・４図）にある６の折り込み部分１３を（５図）ケ−スの内側に折り曲げこの部分１３の両側の三角耳１４・１５を（６図）の様に内側に折り曲げることによりペ−パ−を定着させ、ペ−パ−の滑り止めにもなる。【００１３】（７図）のごとく１３の両脇にある１４・１５を（８図）に記してるように底板に押し込むことによりケ−ス自体の強度も増しケ−スに安定性がでる。【００１４】尚本案においては滑り止め用底板を角柱側面の折り曲げ部から一体に構成する様に説明したが、滑り止め底板面は別体の部品にて形成する事もできる。【００１５】前記のように形成した時には、折り込み型滑り止め底板１３の部分を切り取り、別に設けた（図８）の型の滑り止め底板１９を差し込み設置する。
【図面の簡単な説明】
【００１６】
【図１】本考案のトイレットペ−パ−収納ケ−スの実施例のを示す正面図である。
【図２】本考案の取り出し口を明記した斜め上部から見た斜体図である。
【図３】収納ケ−ス上部蓋及び吊り下げ部分を示した横面図である。
【図４】折りたたみ収納ケ−スの組み立て前の平面図である。
【図５】取り出し部分の底板・三角耳・切り取り部の平面図である。
【図６】取り出し部に滑り止め底板を差し込む状態の横面図である。
【図７】図５より切り取り折り曲げ部分（三角耳部）の平面図である。
【図８】取り出し口部を斜め上部よりの斜体図である。
【図９】滑り止め底板
【符号の説明】
【００１７】  １        ケ−ス本体
２        蓋
３        蓋止め穴
４        確認用窓
５        フック用穴
６        ペ−パ−取り出し口
７        接着用のりしろＡ
８          〃    〃    Ｂ
９〜１２  折りたたみ底板
１３        滑り止め用底板
１４〜１５  両側の三角耳
１６        正面側面の折り曲げの高さ
１７        延長部
１８        両三角耳の一辺の長さ
１９        滑り止め底板（別設置用）
【図１】
0003107010.tif 000003
【図２】
0003107010.tif 000004
【図３】
0003107010.tif 000005
【図４】
0003107010.tif 000006
【図５】
0003107010.tif 000007
【図６】
0003107010.tif 000008
【図７】
0003107010.tif 000009
【図８】
0003107010.tif 000010
【図９】
0003107010.tif 000011